(57)【要約】      （修正有）【課題】粘性を持つ保護用ストリップを利用して絨毯の周縁に粘着することにより、切れた絨毯の周縁で発生する周縁鬚をカバーし、絨毯全体の外観を向上する絨毯周縁保護用ストリップを提供する。【解決手段】軟質材料で作製された表層と、粘性を持つ素材を付けた表面が二つあり、一面が絨毯の周縁鬚に粘着し、他面が前記表層の一面に粘着する粘着層と、周縁鬚の表面に粘着するための前記粘着層に粘着する離形紙と、を含む絨毯周縁保護用ストリップにおいて、前記離形紙を剥がした後、前記粘着層５の表面の粘性によって絨毯の周縁鬚３を粘着することにより、絨毯２の周縁が保護され、全体の外観が綺麗になることを特徴とする絨毯周縁保護用ストリップ。【選択図】図２
0003105539.tif 000002
【実用新案登録請求の範囲】
【請求項１】
軟質材料で作製された表層と、粘性を持つ素材が付けた表面が二つあり、
一面が絨毯の周縁鬚に粘着するためであり、他面が前記表層の一面に粘着するためである粘着層と、周縁鬚の表面に粘着するための前記粘着層に粘着する離形紙と、を含む絨毯周縁保護用ストリップにおいて、
前記離形紙を剥がした後、前記粘着層の表面の粘性によって絨毯の周縁鬚を粘着することにより、絨毯の周縁が保護され、全体の外観が綺麗になることを特徴とする、絨毯周縁保護用ストリップ。
【請求項２】
前記表層の材質及び模様は絨毯と同様または類似であってもいいことを特徴とする、請求項１に記載の絨毯周縁保護用ストリップ。
【考案の詳細な説明】
【技術分野】
【０００１】
本考案は絨毯周縁保護用ストリップに係り、特に粘性を持つ保護用ストリップを利用して絨毯の周縁に粘着することにより、切れた絨毯の周縁で発生する周縁鬚をカバーし、絨毯全体の外観を向上する絨毯周縁保護用ストリップに関するものである。
【背景技術】
【０００２】
生活レベルの向上に従って、国民が生活品質を重視する傾向は見られ、職場での快適性を要求する他、自宅での暮らし快適性もどんどん重視する。だから、会社及び自宅の外装は床板の変化を注目し、全体の美観及び快適性を達成する。なお、床板の外装は、タイルを付けた後、絨毯を敷くのが一般的であり、これにより、全体が綺麗になると共に、騒音を低減する効果もある。だから、展示場やスーパーなどの場所で絨毯が売られている。
【０００３】
図4と図5を参照する。一般の絨毯が展示場やスーパーで販売されるときに、
収納スペースを節約するために、いつもロール状に巻いて収納する。販売するときには、消費者の希望通りの長さの絨毯をロールから引き出して切って消費者に渡す。
【考案の開示】
【考案が解決しようとする課題】
【０００４】
しかしながら、これは次のような欠点があった。
（イ）絨毯を切った後、乱雑な鬚が周縁に発生し、絨毯全体の外観の綺麗さが落ち、且つ周縁鬚がもっと引かれると、絨毯の繊維構造が破壊され、ひいては絨毯が損壊される。
【０００５】
（ロ）上記問題を解決するために、切った絨毯の周縁鬚がミシンにより絨毯内部に縫うが、このような方法は、ミシンを別に購入することが必要になり、スペースを占める他、ミシン操作者の雇用も必要になるので、コストが向上し、且つ絨毯の縫い作業が終了までに消費者が待ち続けることも必要になる。
【０００６】
（ハ）樹脂や木質のストリップにより切った絨毯の周縁を保護する方法もあるが、このような方法は、絨毯全体の重量を増加すると共に、この硬い材料で作製されるストリップを踏むと、不快な感覚が発生し、なお、この硬い材料で作製されるストリッブは使用者の要求通りに切ることが難しい。
【０００７】
本考案の主な目的は、粘性を持つ保護用ストリップを利用して絨毯の周縁に粘着することにより、切れた絨毯の周縁で発生する周縁鬚をカバーし、絨毯全体の外観を向上する絨毯周縁保護用ストリップを提供する。
【課題を解決するための手段】
【０００８】
上記目的を達成するためになされた本願の考案は、軟質材料で作製された表層と、粘性を持つ素材が付けた表面が二つあり、一面が絨毯の周縁鬚に粘着するためであり、他面が前記表層の一面に粘着するためである粘着層と、周縁鬚の表面に粘着するための前記粘着層に粘着する離形紙と、を含む絨毯周縁保護用ストリップにおいて、前記離形紙を剥がした後、前記粘着層の表面の粘性によって絨毯の周縁鬚を粘着することにより、絨毯の周縁が保護され、全体の外観が綺麗になることを特徴とする絨毯周縁保護用ストリップであることを要旨としている。
【０００９】
本願の考案では、前記表層の材質及び模様は絨毯と同様または類似であってもいいことを特徴とする請求項1に記載の絨毯周縁保護用ストリップであることを要旨としている。
【考案の効果】
【００１０】
本考案に係る絨毯周縁保護用ストリップによれば、次のような効果がある。
（イ）絨毯2が周縁保護用ストリップ1によって保護されるので、周縁鬚3がもっと引かれて絨毯2の繊維構造が破壊され、ひいては絨毯2が損壊になることを回避することができ、且つ表層4と粘着層5とが一緒に絨毯2の周縁鬚3に粘着するときに、前記表層4が全体の美観を向上する。
【００１１】
（ロ）絨毯の販売者は本考案に係る絨毯周縁保護用ストリップを直接に消費者に渡し、消費者が家に帰って自分で粘着することができるので、販売者はミシンを購入することが必要なくなり、スペースを占めることもなくなる他、ミシン操作者の雇用も必要なくなるので、コストを低減でき、且つ絨毯の縫い作業が終了までに消費者が待ち続けることも必要なくなる。
【００１２】
（ハ）本考案に係る絨毯周縁保護用ストリップ1は、粘着層5および表層4だけが絨毯2の周縁をカバーするので、絨毯2の全体の重量が殆ど増加しなく、且つ表層4が軟質素材で作製されるので、使用者が前記表層4を踏んでも、不快な感覚が発生しない。また、前記粘着層5および表層4は使用者の希望の通りに切ることが容易である。
【考案を実施するための最良の形態】
【００１３】
以下、添付図面を参照して本考案の好適な実施の形態を詳細に説明する。
【００１４】
まず、図1乃至図3を参照する。本考案に係る絨毯周縁保護用ストリップ1は、切った絨毯2の周縁に発生する周縁鬚3をカバーするためのものであり、表層4と、粘着層5と、離形紙6とを含む。
【００１５】
前記表層4は、軟質材料で作製され、随意に曲げることができ、且つ表面が綺麗なので、使用されると、絨毯全体の美観を向上することができる。
【００１６】
前記粘着層5は、粘性を持つ素材が付けた表面が二つあり、一面が絨毯2の周縁鬚3に粘着するためであり、他面が前記表層4の一面に粘着するためである。前記粘着層5が絨毯2の周縁に粘着するときに、前記表層4は、絨毯2の美観を向上すると共に、外部のホコリの粘着層5への付着により粘着層5の粘性がなくなることを防止できる。
【００１７】
前記離形紙6は、周縁鬚3の表面に粘着するための前記粘着層5に粘着するためのものであり、外部のホコリの粘着層5への付着により粘着層5の粘性がなくなることを防止でき、すなわち、使用されていない粘着層5を保護するためのものである。
【００１８】
離形紙6と、粘着層5と、表層4とを順序に粘着すると、前記粘着層5の粘性を持つ素材が付けた二表面が別々に離形紙6と、表層4の一面とに粘着し、このような方法によれば、本考案に係る絨毯周縁保護用ストリップが長期に使用しなくても、粘着層5の粘性がなくなることがあり得ない。本考案に係る絨毯周縁保護用ストリップの使用方法は、まず、本考案に係る絨毯周縁保護用ストリッブから離形紙6を剥がし、粘着層5の粘性が持つ表面を絨毯2の周縁に向かせて、断面形状がコ字形のように周縁鬚3をカバーすると、絨毯2の周縁を保護する効果が得られる。
【図面の簡単な説明】
【００１９】
【図１】本考案に係る絨毯周縁保護用ストリップが使用されるときの斜視図である。
【図２】本考案に係る絨毯周縁保護用ストリップが絨毯に粘看するときの断面図である。
【図３】本考案に係る絨毯周縁保護用ストリップの断面図である。
【図４】展示場やスーパーで一般の絨毯の収納方法を示す斜視図である。
【図５】一般の絨毯が切られた後に周縁で発生する鬚を示す斜視図である。
【図６】一般の絨毯が設計の通りに切られた後に周縁で発生する鬚を示す斜視図である。
【符号の説明】
【００２０】
1  絨毯周縁保護用ストリップ
2  絨毯
3  周縁鬚
4  表層
5  粘着層
6  離形紙
【図１】
0003105539.tif 000003
【図２】
0003105539.tif 000004
【図３】
0003105539.tif 000005
【図４】
0003105539.tif 000006
【図５】
0003105539.tif 000007
【図６】
0003105539.tif 000008